(57)【要約】【課題】飲料等の液体が収容された携帯用魔法瓶を落下させてしまった場合にも、外容器が内方に突出して内容器と接触する変形を防止し、断熱性を確実に維持することができる。【解決手段】略有底筒状で金属製の内容器２と略有底筒状で金属製の外容器３との間に断熱空間が設けられる携帯用魔法瓶１であって、外容器３の周壁３４に、容器底側に向かって漸次拡径する外容器テーパ部３２１と、外容器テーパ部３２１の下端から容器底側に向かって内方に湾曲する湾曲部３３２が設けられると共に、外容器の底板部３３１が湾曲部３３２の下端に連なって設けられ、内容器２の周壁２４が外容器テーパ部３２１と湾曲部３３２に略倣う形状で形成されると共に、内容器２の底板部２３１が外容器３の底板部３３１に略倣う形状で形成され、外容器３の底板部３３１における湾曲部３３２の下端近傍位置に内方に突出する周状の補強リブ３３３が形成されている。【選択図】図５
2020078492.tif 000002
【特許請求の範囲】
【請求項１】
略有底筒状で金属製の内容器と略有底筒状で金属製の外容器との間に断熱空間が設けられる携帯用魔法瓶であって、
前記外容器の周壁に、容器底側に向かって漸次拡径するテーパ部と、前記テーパ部の下端から容器底側に向かって内方に湾曲する湾曲部が設けられると共に、前記外容器の底板部が前記湾曲部の下端に連なって設けられ、
前記内容器の周壁が前記テーパ部と前記湾曲部に略倣う形状で形成されると共に、前記内容器の底板部が前記外容器の底板部に略倣う形状で形成され、
前記外容器の底板部における前記湾曲部の下端近傍位置に内方に突出する周状の補強リブが形成されていることを特徴とする携帯用魔法瓶。
【請求項２】
前記補強リブが前記外容器の底板部における前記湾曲部の下端と隣接する位置に設けられると共に、
内方に突出する周状の別の補強リブが、前記補強リブと同心円状で且つ前記補強リブよりも前記外容器の底板部の中心に近い位置に設けられていることを特徴とする請求項１記載の携帯用魔法瓶。
【請求項３】
前記外容器の周壁に、前記テーパ部の上端から容器口側に向かって外方に略弧状に曲がる弧状曲部と、前記弧状曲部の上端から容器口側に向かって漸次拡径する別のテーパ部が設けられていることを特徴とする請求項１又は２記載の携帯用魔法瓶。
【発明の詳細な説明】
【技術分野】
【０００１】
本発明は、二重構造の携帯用魔法瓶に関する。
【背景技術】
【０００２】
従来、二重構造の携帯用魔法瓶として、略有底円筒形の金属製の内容器と略有底円筒形の金属製の外容器とが離間して設けられ、内容器と外容器との間の空間が真空断熱層とされる特許文献１の携帯用魔法瓶がある。この携帯用魔法瓶では、外容器の変形を防止して内容器と外容器との間の空間を維持するため、その外容器の内方に上がるように段差になって設けられた底板部に、内方に突出する補強リブが周状に形成されている。この補強リブは、外容器の底板部の中心と外容器の底板部の外周縁との間の中間程度の位置に設けられている（特許文献１の図２、図４、図８、図９参照）。
【先行技術文献】
【特許文献】
【０００３】
【特許文献１】特許第６０３９２５１号公報
【発明の概要】
【発明が解決しようとする課題】
【０００４】
ところで、内容器と外容器から構成される携帯用魔法瓶において、外容器の周壁に容器底側に向かって漸次拡径するテーパ部と、このテーパ部の下端から容器底側に向かって内方に湾曲する湾曲部を設け、外容器の底板部を湾曲部の下端に連なるように設け、更に、内容器の周壁を外容器のテーパ部と湾曲部に略倣う形状で形成する構造とした場合、飲料等の液体を携帯用魔法瓶に収容した際に、飲料等の液体が携帯用魔法瓶の下部に集まり、携帯用魔法瓶の重心が底側に近くなる。そして、利用者が飲料等の液体が収容された携帯用魔法瓶を誤って落下させてしまった時には、基本的に、携帯用魔法瓶の外容器の底板部や、底板部に近い湾曲部から地面や床に落ちることとなる。
【０００５】
しかしながら、このようなテーパ部、湾曲部を有する外容器とこれに略倣う形状の周壁が形成される内容器で構成される携帯用魔法瓶に対して、特許文献１のような外容器の底板部の中心と外容器の底板部の外周縁との間の中間程度の位置に設けられる補強リブで強度確保を図ると、外容器が変形して内方に突出し、内容器と接触して断熱性が損なわれる可能性が高くなる。そのため、テーパ部、湾曲部を有する外容器とこれに略倣う形状の周壁が形成される内容器で構成される携帯用魔法瓶において、外容器の変形をより確実に防止できる構造が求められている。
【０００６】
本発明は上記課題に鑑み提案するものであり、テーパ部、湾曲部を有する外容器とこれに略倣う形状の周壁が形成される内容器で構成される携帯用魔法瓶において、飲料等の液体が収容された携帯用魔法瓶を落下させてしまった場合にも、外容器が内方に突出して内容器と接触する変形を防止し、断熱性を確実に維持することができる携帯用魔法瓶を提供することを目的とする。
【課題を解決するための手段】
【０００７】
本発明の携帯用魔法瓶は、略有底筒状で金属製の内容器と略有底筒状で金属製の外容器との間に断熱空間が設けられる携帯用魔法瓶であって、前記外容器の周壁に、容器底側に向かって漸次拡径するテーパ部と、前記テーパ部の下端から容器底側に向かって内方に湾曲する湾曲部が設けられると共に、前記外容器の底板部が前記湾曲部の下端に連なって設けられ、前記内容器の周壁が前記テーパ部と前記湾曲部に略倣う形状で形成されると共に、前記内容器の底板部が前記外容器の底板部に略倣う形状で形成され、前記外容器の底板部における前記湾曲部の下端近傍位置に内方に突出する周状の補強リブが形成されていることを特徴とする。
これによれば、外容器の底板部における湾曲部の下端近傍位置に内方に突出する周状の補強リブを設けることにより、飲料等の液体が収容された携帯用魔法瓶を落下させてしまった場合に、落下衝撃を受けやすい湾曲部の下端周辺の強度を高めることができる。従った、落下衝撃で外容器が内方に突出して内容器と接触する変形を防止することができ、断熱性を確実に維持することができる。また、周状の補強リブは利用者から視認されにくい外容器の底板部に設けられることから、落下衝撃に対する耐性を高めつつ携帯用魔法瓶の美観を確保することができる。また、飲料等の液体の収容時に基本的に容器底側から落下する構成にすることができることから、容器口部に要求される強度や、容器口部に嵌められる蓋に要求される強度に対する許容範囲を拡げることができ、携帯用魔法瓶やその蓋の設計自由度を高めることができる。
【０００８】
本発明の携帯用魔法瓶は、前記補強リブが前記外容器の底板部における前記湾曲部の下端と隣接する位置に設けられると共に、内方に突出する周状の別の補強リブが、前記補強リブと同心円状で且つ前記補強リブよりも前記外容器の底板部の中心に近い位置に設けられていることを特徴とする。
これによれば、補強リブを湾曲部の下端と隣接する位置に設けることにより、落下衝撃を受けやすい湾曲部の下端周辺の強度をより確実に高めることができる。また、補強リブと別の補強リブの双方を同心円状に設けることにより、より強度を高めて落下衝撃に対する一層の耐性向上を図ることができる。
【０００９】
本発明の携帯用魔法瓶は、前記外容器の周壁に、前記テーパ部の上端から容器口側に向かって外方に略弧状に曲がる弧状曲部と、前記弧状曲部の上端から容器口側に向かって漸次拡径する別のテーパ部が設けられていることを特徴とする。
これによれば、外容器の周壁におけるテーパ部と弧状曲部と別のテーパ部の形状により、略鼓形状の美観に優れる携帯用魔法瓶とすることができる。また、湾曲部とテーパ部と弧状曲部と別のテーパ部で構成される曲面形状により、容器側方からの衝撃に対しても高い強度を発揮することができ、側方からの衝撃で外容器が内方に突出して内容器と接触する変形を防止することができ、断熱性を確実に維持することができる。
【発明の効果】
【００１０】
本発明の携帯用魔法瓶によれば、テーパ部、湾曲部を有する外容器とこれに略倣う形状の周壁が形成される内容器で構成される携帯用魔法瓶において、飲料等の液体が収容された携帯用魔法瓶を落下させてしまった場合にも、外容器が内方に突出して内容器と接触する変形を防止し、断熱性を確実に維持することができる。
【図面の簡単な説明】
【００１１】
【図１】本発明による実施形態の携帯用魔法瓶を示す正面図。
【図２】実施形態の携帯用魔法瓶を示す縦断面図。
【図３】実施形態の携帯用魔法瓶を示す拡大底面図。
【図４】実施形態の携帯用魔法瓶の底板部近傍を示す拡大断面図。
【図５】図４のＡ−Ａ部の拡大図。
【図６】実施形態の携帯用魔法瓶の口部近傍の一部を示す拡大断面図。
【発明を実施するための形態】
【００１２】
〔実施形態の携帯用魔法瓶〕
本発明による実施形態の携帯用魔法瓶１は、図１〜図６に示すように、略有底筒状で金属製の内容器２と略有底筒状で金属製の外容器３を有し、内容器２と外容器３との間に断熱空間が設けられ、この断熱空間が断熱層４になっている。本実施形態における断熱層４は、内容器２と外容器３との間の空間を真空状態或いは減圧状態にした真空断熱層としているが、内容器２と外容器３との間の空間を大気圧の状態にした空気層の断熱層や、或いは内容器２の外面や外容器３の内面に銅、アルミ等の金属箔を施す等により、断熱材を備える真空断熱層を設けるようにすることも可能である。尚、１０は携帯用魔法瓶１の口を閉じる蓋である。蓋１０は、後述する略鼓状の外形により近づけるため、容器底側に向かって周壁が漸次縮径するテーパ状の外形とすることが好ましい。
【００１３】
内容器２は、開口側の口部２１、筒状の胴部２２、底部２３から構成されている。内容器２の口部２１の先端部には、外側に屈曲して根元が設けられ、上方に向かって略真っ直ぐに延びる拡径部２１１が形成されており、拡径部２１１は内容器２の開口縁に沿うように全周に亘って設けられている。内容器２の胴部２２の下部には、内容器２の底部２３に向かって漸次拡径する内容器テーパ部２２１が設けられている。内容器２の底部２３は略皿状であり、底板部２３１の周囲に外側に凸で湾曲する湾曲部２３２が設けられている。底部２３の湾曲部２３２は胴部２２の内容器テーパ部２２１と共に内容器２の周壁２４を構成する。
【００１４】
内容器２は全体が略同一の厚さの薄肉材で形成されており、図示例の内容器２は、口部２１と胴部２２が単一の薄肉筒材をプレス加工等で変形して形成されていると共に、底部２３が単一の薄肉板材をプレス加工等で変形して形成されており、口部２１と胴部２２を構成する筒体の下端縁が略皿状の底部２３の湾曲部２３２の上端縁に突き合わされて溶接等で接合されて形成されている。尚、内容器２の口部２１、胴部２２、底部２３或いはこれらの所定部を細分化した部分をそれぞれ構成する部材を形成し、これらを溶接等で接合して内容器２を形成してもよく、或いは製造コストの低減、製造効率の向上を図る観点から、内容器２の口部２１、胴部２２、底部２３の全体を単一の薄肉板材をプレス加工等で変形して形成してもよい。
【００１５】
外容器３は、開口側の口部３１、筒状の胴部３２、底部３３から構成されている。外容器３の口部３１の先端部には、内側に折り返された折返部３１１が形成され、折返部３１１の先端部が内容器２の拡径部２１１の内側に嵌合されている。折返部３１１の先端縁３１２は拡径部２１１の根元に略当接され、先端縁３１２の周辺で溶接部５によって周状に溶接され、外容器３と内容器２が接合されている。
【００１６】
外容器３の胴部３２には、容器底側に向かって漸次拡径する外容器テーパ部３２１が設けられていると共に、外容器テーパ部３２１の上端から容器口側に向かって外方に略弧状に曲がる弧状曲部３２２と、弧状曲部３２２の上端から容器口側に向かって漸次拡径する別の外容器テーパ部３２３が設けられている。外容器３の底部３３は略皿状であり、底板部３３１の周囲に外側に凸で湾曲する湾曲部３３２が設けられて、換言すれば外容器３の底板部３３１が湾曲部３３２の下端に連なって設けられている。底部３３の湾曲部３３２は、外容器テーパ部３２１、弧状曲部３２２、別の外容器テーパ部３２３と共に外容器３の周壁３４を構成する。
【００１７】
そして、内容器２の内容器テーパ部２２１と湾曲部２３２で構成される周壁２４は、外容器３の周壁３４を構成する外容器テーパ部３２１と湾曲部３３２に略倣う形状で形成されて、周壁２４と周壁３４が離間して設けられている。また、内容器２の底板部２３１は、外容器３の底板部３３１に略倣う形状で形成されて、底板部２３１と底板部３３１が離間して設けられている。
【００１８】
外容器３の底板部３３１における湾曲部３３２の下端近傍位置には、内方に突出するように凹んだ周状の補強リブ３３３が形成されており、本実施形態における補強リブ３３３は、外容器３の底板部３３１における湾曲部３３２の下端と隣接する位置に設けられている。底板部３３１の補強リブ３３３より中心寄りには上方に屈曲する段差屈曲部３３４を介して段差底板３３５が設けられ、段差底板３３５に内方に突出するように凹んだ周状の別の補強リブ３３６が形成されている。別の補強リブ３３６は、補強リブ３３３と同心円状で且つ補強リブ３３３よりも外容器３の底板部３３１の中心に近い位置に間隔を開けて設けられている。
【００１９】
底板部３３１の略中心には、内容器２と外容器３との間の空間から真空吸引で排気する際に用いられる吸引穴３３７が内側に凹んだ凹部３３８の中心に設けられており、底部３３における吸引穴３３７と別の補強リブ３３６との間には、吸引穴３３７の封止後に内容器２と外容器３との間の空間のガスを吸収するゲッター３３９が底板部３３１上に載置するように内装されている。尚、内容器２の底板部２３１には、内側に突出する凹部３３８やゲッター３３９に対して所定の離間距離を確保するために、略中央に上方に凹んだ凹部２３３が形成されている。
【００２０】
外容器３は全体が略同一の厚さの薄肉材で形成されており、図示例の外容器３は、口部３１、胴部３２を構成する筒体がそれぞれ単一の薄肉筒材をプレス加工等で変形して形成され、底部３３を構成する部材が単一の薄肉板材をプレス加工等で変形して形成されており、口部３１の下端から外方に延びる裾部３１３の外端縁と胴部３２の上端縁が当接されて溶接等で接合され、胴部３２の下端縁と略皿状の底部３３の湾曲部３３２の上端縁が突き合わされて溶接等で接合して形成されている。尚、口部３１と胴部３２を単一の薄肉筒材をプレス加工等で変形して形成すると共に、底部３３を単一の薄肉板材をプレス加工等で変形して形成し、口部３１と胴部３２を構成する筒体の下端縁と底部３３の上端縁を突き合わせて溶接等で接合し、外容器３を形成してもよい。
【００２１】
内容器２と外容器３が所定配置で接合された携帯用魔法瓶１では、外容器３の底部３３に向かって漸次縮径する別の外容器テーパ部３２３と、内方に凸で略弧状に屈曲する弧状曲部３２２と、外容器３の底部に向かって漸次拡径する外容器テーパ部３２１により、外容器３の周壁３４の中間部から上方と下方に向かって径が漸次拡径する略鼓状の外形を呈する。更に、好ましくは曲率半径５〜３０ｍｍ程度、より好ましくは曲率半径１０〜２０ｍｍ程度の大きな曲率半径の湾曲部３３２で外容器３の周壁３４を構成することにより、携帯用魔法瓶１の周壁３４の下部を丸みを持たせて拡げ、柔らかく安定した印象の外観を呈することができる。
【００２２】
本実施形態の携帯用魔法瓶１によれば、外容器３の底板部３３１における湾曲部３３２の下端近傍位置に内方に突出する周状の補強リブ３３３を設けることにより、飲料等の液体が収容された携帯用魔法瓶１を落下させてしまった場合に、落下衝撃を受けやすい湾曲部３３２の下端周辺の強度を高めることができる。従った、落下衝撃で外容器３が内方に突出して内容器２と接触する変形を防止することができ、断熱性を確実に維持することができる。また、周状の補強リブ３３３は利用者から視認されにくい外容器３の底板部３３１に設けられることから、落下衝撃に対する耐性を高めつつ携帯用魔法瓶１の美観を確保することができる。また、飲料等の液体の収容時に基本的に容器底側から落下する構成にすることができることから、容器口部に要求される強度や、容器口部に嵌められる蓋１０に要求される強度に対する許容範囲を拡げることができ、携帯用魔法瓶１や蓋１０の設計自由度を高めることができる。
【００２３】
また、補強リブ３３３を湾曲部３３２の下端と隣接する位置に設ける場合には、落下衝撃を受けやすい湾曲部３３２の下端周辺の強度をより確実に高めることができる。また、補強リブ３３３と別の補強リブ３３６の双方を同心円状に設けることにより、底板部３３１や湾曲部３３２の強度をより高めて落下衝撃に対する一層の耐性向上を図ることができる。
【００２４】
また、外容器３の周壁３４における外容器テーパ部３２１と弧状曲部３２２と別の外容器テーパ部３２３の形状により、略鼓形状の美観に優れる携帯用魔法瓶１とすることができる。また、湾曲部３３２と外容器テーパ部３２１と弧状曲部３２２と別の外容器テーパ部３２３で構成される曲面形状により、容器側方からの衝撃に対しても高い強度を発揮することができ、側方からの衝撃で外容器３が内方に突出して内容器１と接触する変形を防止することができ、断熱性を確実に維持することができる。
【００２５】
〔本明細書開示発明の包含範囲〕
本明細書開示の発明は、発明として列記した各発明、実施形態及びその変形例の他に、適用可能な範囲で、これらの部分的な内容を本明細書開示の他の内容に変更して特定したもの、或いはこれらの内容に本明細書開示の他の内容を付加して特定したもの、或いはこれらの部分的な内容を部分的な作用効果が得られる限度で削除して上位概念化して特定したものを包含する。そして、本明細書開示の発明には下記変形例や追記した内容も含まれる。
【００２６】
例えば本発明の携帯用魔法瓶は、実施形態の携帯用魔法瓶１に限定されず、本発明の趣旨の範囲内で適宜であり、外容器３の周壁３４に、容器底側に向かって漸次拡径する外容器テーパ部３２１と、その下端から容器底側に向かって内方に湾曲する湾曲部３３２が設けられると共に、外容器３の底板部３３１が湾曲部３３２の下端に連なって設けられ、内容器２の周壁２４が外容器テーパ部３２１と湾曲部３３２に略倣う形状で形成されると共に、内容器２の底板部２３１が外容器３の底板部３３１に略倣う形状で形成され、外容器３の底板部３３１における湾曲部３３１の下端近傍位置に内方に突出する周状の補強リブ３３３が形成される適宜の携帯用魔法瓶が含まれる。
【００２７】
また、上記実施形態の携帯用魔法瓶１における外容器３の底板部３３１には、段差屈曲部３３４と、段差底板３３５に形成される別の補強リブ３３６を設け、携帯用魔法瓶１の底部３３の強度をより高める構成としたが、底板部３３１の同一高さの位置に補強リブ３３３、別の補強リブ３３６を同心円状に設ける構成とすることも可能である。また、周状の補強リブ３３３を湾曲部３３２の下端から離間して設ける場合の離間距離は、０ｍｍ超３ｍｍ以内とすることが好ましい。
【００２８】
〔携帯用魔法瓶の落下衝撃試験〕
上記実施形態の携帯用魔法瓶１を実施例とし、上記実施形態の携帯用魔法瓶１の補強リブ３３３の箇所を補強リブ３３３を形成せずに平板状にして他の構成は携帯用魔法瓶１と同じにした携帯用魔法瓶を比較例とし、上記実施形態における蓋１０と同一の蓋で実施例の携帯用魔法瓶と比較例の携帯用魔法瓶の双方を閉じて、落下衝撃試験を行った。実施例と比較例の携帯用魔法瓶は、材質をいずれもステンレス製とし、内容器の底部の板厚と外容器の底部の板厚をそれぞれ０．３ｍｍとして形成すると共に、内容器の湾曲部の曲率半径を６ｍｍ、外容器の湾曲部の曲率半径を１５ｍｍとした。実施例の携帯用魔法瓶における補強リブは、外容器の底板部における湾曲部の下端と隣接する位置に設けた。
【００２９】
実施例と比較例の携帯用魔法瓶の落下衝撃試験はJIS S2006:2016 10.5.2.1に準拠して行い、実施例と比較例の携帯用魔法瓶のそれぞれに常温水を満量入れ、４０ｃｍの高さから垂直状態で水平に固定した厚さ３ｃｍ以上の硬質木板上に落下させ、水漏れ、外観上の変化を確認した。更に、JIS S2006:2016 10.4.1に準拠し、落下した後の実施例と比較例の携帯用魔法瓶を２時間以上放置した後に沸騰水を入れ、６時間放置後の内容湯の温度を測定して、保温効力を確認した。
【００３０】
落下衝撃試験の結果、実施例の携帯用魔法瓶と比較例の携帯用魔法瓶の双方とも水漏れを生じなかったが、実施例の携帯用魔法瓶は外観上に変化が無かったのに対して、比較例の携帯用魔法瓶では、外容器の段差屈曲部から湾曲部に至る底板部の箇所に内向きに凹んだ窪みが発生し、窪みが内容器に接触した。そして、落下衝撃試験後の実施例の携帯用魔法瓶と比較例の携帯用魔法瓶について沸騰水を入れ、初期温度が双方とも９２．１℃であることを確認し、６時間経過後の内容湯の温度を確認したところ、実施例の携帯用魔法瓶では７１．１℃であったのに対して、比較例の携帯用魔法瓶では６５．１℃であった。
【００３１】
更に、６時間放置後の保温温度を確認した実施例の携帯用魔法瓶と比較例の携帯用魔法瓶について３０分後の外容器の表面温度を確認したところ、実施例の携帯用魔法瓶の外容器の周壁の温度は３３．１℃であった。これに対して、比較例の携帯用魔法瓶の外容器の周壁の表面温度は３３．４℃、その外容器の底板部の表面温度は６２．８℃であり、比較例の携帯用魔法瓶の外容器の底板部で異常放熱が発生していることが確認された。
【産業上の利用可能性】
【００３２】
本発明は、二重構造の携帯用魔法瓶に利用することができる。
【符号の説明】
【００３３】
１…携帯用魔法瓶  ２…内容器  ２１…口部  ２１１…拡径部  ２２…胴部  ２２１…内容器テーパ部  ２３…底部  ２３１…底板部  ２３２…湾曲部  ２３３…凹部  ２４…周壁  ３…外容器  ３１…口部  ３１１…折返部  ３１２…先端縁  ３１３…裾部  ３２…胴部  ３２１…外容器テーパ部  ３２２…弧状曲部  ３２３…別の外容器テーパ部  ３３…底部  ３３１…底板部  ３３２…湾曲部  ３３３…補強リブ  ３３４…段差屈曲部  ３３５…段差底板  ３３６…別の補強リブ  ３３７…吸引穴  ３３８…凹部  ３３９…ゲッター  ３４…周壁  ４…断熱層  ５…溶接部  １０…蓋
【図１】
2020078492.tif 000003
【図２】
2020078492.tif 000004
【図３】
2020078492.tif 000005
【図４】
2020078492.tif 000006
【図５】
2020078492.tif 000007
【図６】
2020078492.tif 000008